(57)【要約】      （修正有）【課題】２つのデータビットを伝送するＤＣ電圧レベルを使用してもう１つのデータビットを生成するデータ転送方法を提供する。【解決手段】ＤＣレベルをＡＣレベルに変換することによって、同数のデータ線でより多くのデータビットを伝送することを可能にする。２対のデータ線によって供給される２つのＤＣレベルにより、第３のデータビットを伝送することができる。同様に、４対のデータ線によって供給される４つのＤＣレベルにより、７つのビットデータを送信することができる。所与の組のデータ線を用いてより多くのデータを送信することができるため、空間および製造コストを節約することができる。【選択図】図２
2005310155.tif 000002
【特許請求の範囲】
【請求項１】
差動信号データ伝送システムによりデータを転送する方法であって、
第１の差動信号としての役目を果たす第１の対の差動信号源の第１のＤＣ電圧レベルを選択するステップであって、前記第１の対の差動信号源は第１のデータビットを生成する、第１のＤＣ電圧レベルを選択するステップと、
第２の差動信号としての役目を果たす第２の対の差動信号源の第２のＤＣ電圧レベルを選択するステップであって、前記第２の対の差動信号源は第２のデータビットを生成する、第２のＤＣ電圧レベルを選択するステップと、
前記第１の差動信号および前記第２の差動信号に応じて第３のデータビットを生成するステップと
を含む、差動信号データ伝送システムによりデータを転送する方法。
【請求項２】
前記第１のＤＣ電圧レベルが前記第２のＤＣ電圧レベルよりも高いときに前記第３のデータビットは論理レベル「０」に設定され、前記第１のＤＣ電圧レベルが前記第２のＤＣ電圧レベルよりも低いときに前記第３のデータビットは論理レベル「１」に設定される請求項１に記載の差動信号データ伝送システムによりデータを転送する方法。
【請求項３】
差動信号伝送システムによりデータを転送する方法であって、前記差動信号伝送構造は複数対の差動信号源を備え、
該対の差動信号源毎の２つのＤＣ電圧レベルに応じてさらなる複数対の差動信号源を生成するステップと、
該さらなる複数対の差動信号源に応じて対応する複数対のデータビットを伝送するステップと
を含む、差動信号伝送システムによりデータを転送する方法。
【請求項４】
前記さらなる対の差動信号源から２対の差動信号源毎のＤＣ電圧レベルを更に選択して、付加的なデータビットを生成することを含む請求項３に記載の差動信号伝送システムによりデータを転送する方法。
【請求項５】
差動信号伝送システムによりデータを転送する方法であって、前記差動信号伝送構造は複数対の差動信号源を備え、
第１の差動信号としての役目を果たす第１の対の差動信号源の第１のＤＣ電圧レベルを選択するステップであって、前記第１の対の差動信号源は第１のデータビットを生成する、第１のＤＣ電圧レベルを選択するステップと、
第２の差動信号としての役目を果たす第２の対の差動信号源の第２のＤＣ電圧レベルを選択するステップであって、前記第２の対の差動信号源は第２のデータビットを生成する、第２のＤＣ電圧レベルを選択するステップと、
第３の差動信号としての役目を果たす第３の対の差動信号源の第３のＤＣ電圧レベルを選択するステップであって、前記第３の対の差動信号源は第３のデータビットを生成する、第３のＤＣ電圧レベルを選択するステップと、
第４の差動信号としての役目を果たす第４の対の差動信号源の第４のＤＣ電圧レベルを選択するステップであって、前記第４の対の差動信号源は第４のデータビットを生成する、第４のＤＣ電圧レベルを選択するステップと、
前記第１の差動信号および前記第２の差動信号に応じて第５のデータビットを生成するステップと、
前記第３の差動信号および前記第４の差動信号に応じて第６のデータビットを生成するステップと、
前記第１の差動信号と前記第２の差動信号との第５のＤＣ電圧レベルおよび前記第３の差動信号と前記第４の差動信号との第６のＤＣ電圧レベルに応じて第７のデータビットを生成するステップと
を含む、差動信号伝送システムによりデータを転送する方法。
【請求項６】
前記第１のＤＣ電圧レベルが前記第２のＤＣ電圧レベルよりも高いときに前記第５のデータビットは論理レベル「０」に設定され、前記第１のＤＣ電圧レベルが前記第２のＤＣ電圧レベルよりも低いときに前記第５のデータビットは論理レベル「１」に設定される請求項５に記載の差動信号伝送システムによりデータを転送する方法。
【請求項７】
前記第３のＤＣ電圧レベルが前記第４のＤＣ電圧レベルよりも高いときに前記第６のデータビットは論理レベル「０」に設定され、前記第３のＤＣ電圧レベルが前記第４のＤＣ電圧レベルよりも低いときに前記第６のデータビットは論理レベル「１」に設定される請求項５に記載の差動信号伝送システムによりデータを転送する方法。
【請求項８】
前記第５のＤＣ電圧レベルが前記第６のＤＣ電圧レベルよりも高いときに前記第７のデータビットは論理レベル「０」に設定され、前記第５のＤＣ電圧レベルが前記第６のＤＣ電圧レベルよりも低いときに前記第７のデータビットは論理レベル「１」に設定される請求項５に記載の差動信号伝送システムによりデータを転送する方法。
【発明の詳細な説明】
【技術分野】
【０００１】
［発明の背景］
発明の分野
本発明は、データ転送方法に関する。本発明は特に、差動信号データ転送方法に関する。
【０００２】
関連技術の説明
近年、液晶ディスプレイは徐々に主流のディスプレイ製品になってきた。液晶ディスプレイパネルは軽量で薄いだけでなく、有害な放射線を放出することなく低出力定格で低電圧で動作することができる。とりわけ、液晶ディスプレイは、広範囲にわたる表示面積を有することができる。このような利点から、ノートブックコンピュータ、移動電話、個人情報端末（ＰＤＡ）を含む多くのタイプの携帯型電子機器が液晶ディスプレイ画面を備えるか、あるいは備えなければならない。その高い普及性から、液晶ディスプレイ装置にデータを転送する効率的な方法がますます重要になっている。
【０００３】
従来の薄膜トランジスタ液晶ディスプレイでは、小振幅差動信号（reduced swing differential signal）（ＲＳＤＳ）データ転送法が使用されることが多い。図１は、従来のＲＳＤＳ法を用いたデータ伝送を示す図である。図１に示すように、１対のデータ線は１つのデータビットしか伝送することができない。例えば、１対のデータ線（Ｄ００Ｐ−Ｄ００Ｎ）は１つのデータビットを伝送することができ、２対のデータ線（Ｄ００Ｐ−Ｄ００Ｎ）および（Ｄ０１Ｐ−Ｄ０１Ｎ）は２つのデータビットを伝送することができ、３対のデータ線（Ｄ００Ｐ−Ｄ００Ｎ）、（Ｄ０１Ｐ−Ｄ０１Ｎ）および（Ｄ０２Ｐ−Ｄ０２Ｎ）は３つのデータビットを伝送することができる。言い換えれば、Ｎ個のデータビットを伝送するためには少なくともＮ対のデータ線が必要となる。データ伝送の増加によりデータ線の本数が増えるにつれて、データ線の占有空間（spatial occupancy）および製造コストの両方が増加する。
【０００４】
［発明の概要］
したがって、本発明の少なくとも１つの目的は、２対のデータ伝送線によって供給される信号、すなわち２つのデータビットを伝送するＤＣ電圧レベルを使用してもう１つのデータビットを生成するデータ転送方法を提供することである。本方法は、複数対のデータ伝送を有し、２つのデータビット毎の伝送される電圧レベルが振幅を有して付加的なデータビットを伝送することができるようになっているシステムにも適用することができる。したがって、利用できる限られた資源を用いてより多くのデータビットを伝送することができる。
【０００５】
上記および他の利点を達成するため、また本明細書中で具体化および概略的に説明される本発明の目的に従って、本発明は、差動信号伝送構造を使用するデータ転送方法を提供する。本データ転送方法は、第１の差動信号としての役目を果たす第１の対の差動信号源の第１のＤＣ電圧レベルを選択することを含む。第１の対の差動信号源は第１のデータビットを生成する。その後、第２の差動信号としての役目を果たす第２の対の差動信号源の第２のＤＣ電圧レベルを選択する。第２の対の差動信号源は第２のデータビットを生成する。最後に、第１の差動信号と第２の差動信号とにより第３のデータビットを生成する。
【０００６】
上記のデータ転送方法の１実施形態によれば、第３のデータビットは、第１のＤＣ電圧レベルが第２のＤＣ電圧レベルよりも高いときに論理レベル「０」を有する。第３のデータビットは、第１のＤＣ電圧レベルが第２のＤＣ電圧レベルよりも低いときに論理レベル「１」を有する。
【０００７】
本発明は、差動信号伝送構造を使用する代替的なデータ転送方法も提供する。差動信号伝送構造は、複数対の差動信号源を備える。本データ転送方法は、２対の差動信号源毎に供給される２つのＤＣ電圧レベルに応じて付加的な対の差動信号源を生成することを含む。その後、この付加的な対の差動信号源を使用して、対応するデータビットを生成する。
【０００８】
上記のデータ転送方法の１実施形態によれば、本方法は、付加的な２対の差動信号源毎に供給されるＤＣ電圧レベルを選択することであって、それによって、さらなるデータビットを生成する、ＤＣ電圧レベルを選択することをさらに含む。
【０００９】
本発明はまた、差動信号伝送構造を使用する別のデータ転送方法を提供する。差動信号伝送構造は、複数対の差動信号源を備える。本データ転送方法は、第１の差動信号としての役目を果たす第１の対の差動信号源の第１のＤＣ電圧レベルを選択することを含む。第１の対の差動信号源は第１のビットを生成する。その後、第２の差動信号としての役目を果たす第２の対の差動信号源の第２のＤＣ電圧レベルを選択する。第２の対の差動信号源は第２のビットを生成する。第３の差動信号としての役目を果たす第３の対の差動信号源の第３のＤＣ電圧レベルを選択する。第３の対の差動信号源は第３のビットを生成する。第４の差動信号としての役目を果たす第４の対の差動信号源の第４のＤＣ電圧レベルを選択する。第４の対の差動信号源は第４のビットを生成する。第１の差動信号と第２の差動信号が互いに交差するとき第５のデータビットが生成される。同様に、第３の差動信号と第４の差動信号が互いに交差するとき第６のデータビットが生成される。最後に、第１の差動信号と第２の差動信号とによって生成される第５のＤＣ電圧レベルが第３の差動信号と第４の差動信号とによって生成される第６のＤＣ電圧レベルと交差するとき第７のデータビットが生成される。
【００１０】
上記のデータ転送方法の１実施形態によれば、第５のデータビットは、第１のＤＣ電圧レベルが第２のＤＣ電圧レベルよりも高いときに論理レベル「０」を有する。第５のデータビットは、第１のＤＣ電圧レベルが第２のＤＣ電圧レベルよりも低いときに論理レベル「１」を有する。第６のデータビットは、第３のＤＣ電圧レベルが第４のＤＣ電圧レベルよりも高いときに論理レベル「０」を有する。第６のデータビットは、第３のＤＣ電圧レベルが第４のＤＣ電圧レベルよりも低いときに論理レベル「１」を有する。第７のデータビットは、第５のＤＣ電圧レベルが第６のＤＣ電圧レベルよりも高いときに論理レベル「０」を有する。第７のデータビットは、第５のＤＣ電圧レベルが第６のＤＣ電圧レベルよりも低いときに論理レベル「１」を有する。
【００１１】
本発明では、ＤＣ電圧レベルがＡＣレベルに変換されるため、所与の組のデータ線を介してより多くのデータビットを伝送することができる。従来のＲＳＤＳデータ転送法における、１対のデータ線につき１つのデータビットを伝送するという制限なしに、データ線の本数を減らすとともに、それらのデータ線を収容するのに必要となる空間を小さくすることができる。
【００１２】
上記の概要と以下の詳細な説明はいずれも例示的なものであり、特許請求の範囲に記載される（as claimed）本発明のさらなる説明を行うことが意図されることが理解されるべきである。
【００１３】
添付図面は、本発明のさらなる理解をもたらすために含まれ、本明細書に組み込まれるとともにその一部を構成する。図面は、本発明の実施形態を示し、説明とともに、本発明の原理を説明する役目を果たす。
【００１４】
［好適な実施形態の説明］
ここで、本発明の現時点で好ましい実施形態を詳細に参照し、その例を添付図面に示す。図面と説明においては、可能な限り同一の参照番号を用いて同一または同様の部分を示した。
【００１５】
本発明では、ＤＣ電圧レベルをＡＣ電圧レベルに変換することによって、既存の組のデータ線を介して伝送することができるデータビットの数を増加させる。言い換えれば、伝送する必要のあるデータの量が増えるとより多くのデータ線を節約することができる。したがって、必要とされるデータ線の本数が減るとともに、それらのデータ線を収容するための空間が小さくなる。よって、伝送インタフェースの全体的な製造コストを下げることができる。
【００１６】
図２は、本発明の好ましい１実施形態によるデータ転送方法を用いたデータ伝送中のＤＣ電圧レベルおよびＡＣ電圧レベルを示すタイミング図である。図２に示すように、本来の小振幅差動信号（ＲＳＤＳ）伝送法において２つのデータビットを伝送する信号電圧レベルの振幅を導入して３つのデータビットを生成することができる。言い換えれば、２つのデータビットを伝送する既存の差動信号を用いて３つのデータビットを伝送することができる。さらに、２つのデータビットを伝送する差動信号回路は全部で８つの異なる状態を有する。
【００１７】
本来の伝送データビットＤ０およびＤ１は、異なる信号源としての役目を果たす電圧レベルＰ０およびＮ０ならびにＰ１およびＮ１間の２対のデータ線を有する。データビットＤ０およびＤ１のＤＣ電圧レベルはそれぞれＶｃｏｍ０およびＶｃｏｍ１である。
【００１８】
本実施形態では、本来の２つのデータビットＤ０およびＤ１のほかに、２対のデータ伝送線の電圧レベルＰ０／Ｎ０およびＰ１／Ｎ１を用いてもう１つのデータビットＤ２を生成することができる。データビットＤ２のデータ差動信号は、データビットＤ０およびＤ１のＤＣ電圧レベルＶｃｏｍ０およびＶｃｏｍ１間の交差および振幅によって生成される。データビットＤ２の新たなＤＣ電圧レベルはＶｃｏｍ２である。
【００１９】
図３は、図２によるデータ転送方法を用いたデータ伝送中のＤＣ電圧レベルおよびＡＣ電圧レベルと、３つのデータビットＤ０、Ｄ１およびＤ２によって生成される電圧レベルとを示すタイミング図である。新たなデータビットＤ２は、データビットＤ０およびＤ１のＤＣレベルをＡＣレベルに変換することによって生成される。したがって、データビットＤ０の本来のＤＣ電圧レベルＶｃｏｍ０はデータビットＤ２に関して差動信号Ｐ２であり、データビットＤ１の本来のＤＣ電圧レベルＶｃｏｍ１はデータビットＤ２に関してもう１つの差動信号Ｎ２である。Ｖｃｏｍ０およびＶｃｏｍ１はデータビットＤ２の新たな組の差動信号であり、Ｄ２のＤＣ電圧レベルはＶｃｏｍ２である。
【００２０】
表１に、２対のデータ線により生成される３つのデータビットによって生じる８つの異なる状態を示す。データビットＤ０の差動信号Ｐ０がＮ０よりも大きい場合、あるいはＰ０がデータビットＤ０のＤＣ電圧レベルＶｃｏｍ０よりも大きい場合、データ線Ｄ０はデータビット「０」を出力する。そうでない場合、データ線Ｄ０はデータビット「１」を出力する。データビットＤ１の差動信号Ｐ１がＮ１よりも大きい場合、あるいはＰ１がデータビットＤ１のＤＣ電圧レベルＶｃｏｍ１よりも大きい場合、データ線Ｄ１はデータビット「０」を出力する。そうでない場合、データ線Ｄ０はデータビット「１」を出力する。データ線Ｄ２からの出力は、データビットＤ０またはＤ１のＤＣ電圧レベルによって決まる。Ｖｃｏｍ０がＶｃｏｍ２よりも大きい場合、あるいはＶｃｏｍ０がＶｃｏｍ１よりも大きい場合、データ線Ｄ２はデータビット「０」を出力する。そうでない場合、データ線Ｄ２はデータビット「１」を出力する。
【００２１】
［表１（Ｖ１＞Ｖ２＞Ｖ３＞Ｖ４）］
2005310155.tif 000003
【００２２】
上記のデータ転送方法の原理によれば、２対のデータ伝送線、すなわち、２つのデータビットを転送するシグナリング電圧毎に、付加的なデータビットが１つ生成される。本方法は、複数対のデータ伝送を有し、２つのデータビット毎の伝送される電圧レベルが振幅を有して付加的なデータビットを伝送することができるようになっているシステムにも適用することができる。したがって、利用できる限られた資源を用いてより多くのデータビットを伝送することができる。例えば、データ伝送インタフェースが４対のデータ伝送線、つまり４対の異なる差動信号を有する場合、４つのＤＣ電圧レベルの振幅により７組の差動信号を生成し（swing out）、合計で１２８個の状態を生じることができる。図４は、本発明の別の好ましい実施形態によるデータ転送方法を用いたデータ伝送中のＤＣ電圧レベルおよびＡＣ電圧レベルを示すタイミング図である。
【００２３】
図４に示すように、４つのデータビットＤ０、Ｄ１、Ｄ２およびＤ３を伝送する４対の本来のデータ線があり、それらの電圧レベルＰ０およびＮ０、Ｐ１およびＮ１、Ｐ２およびＮ２ならびにＰ３およびＮ３が差動信号源としての役目を果たす。データビットＤ０、Ｄ１、Ｄ２およびＤ３のＤＣ電圧レベルはそれぞれＶｃｏｍ０、Ｖｃｏｍ１、Ｖｃｏｍ２およびＶｃｏｍ３である。本発明におけるデータ転送方法の原理によれば、２つの差動信号源毎にもう１つのデータビットを生成することができる。したがって、４つのデータビットＤ０、Ｄ１、Ｄ２およびＤ３は、３つのさらなるデータビットＤ４、Ｄ５およびＤ６を生成することができる。図４に示すように、データビットＤ０およびＤ１のＤＣ電圧レベルＶｃｏｍ０およびＶｃｏｍ１は、データビットＤ４を生成するための２つの差動信号源としての役目を果たすことができる。同様に、データビットＤ２およびＤ３のＤＣ電圧レベルＶｃｏｍ２およびＶｃｏｍ３は、データビットＤ５を生成するための２つの差動信号源としての役目を果たすことができる。新たに導入されたデータビットＤ４およびＤ５のＤＣ電圧レベルＶｃｏｍ４およびＶｃｏｍ５は、データビットＤ６を生成するための２つの差動信号源としての役目を果たすことができる。したがって、４つのデータビットＤ０、Ｄ１、Ｄ２およびＤ３を伝送するほかに、本発明のデータ転送方法は、付加的なデータビットＤ４、Ｄ５およびＤ６の伝送も可能にする。言い換えれば、４対のデータ伝送線を介して合計７つのデータビットが伝送される。
【００２４】
したがって、本発明は、従来のデータ伝送方法を用いた場合の、１対のデータ線につき多くて１つのデータビットという制約を取り除くことができる。したがって、差動信号ＰおよびＮならびにＤＣ電圧レベルＶｃｏｍをそれぞれ有するＮ対のデータ線は、電圧レベルの変化により合計で２Ｎ−１個のデータビットを生成することができ、よって、既存の組のデータ線を介してより多くのデータビットを伝送することができる。データ送信の増加によりデータ線の本数が増えるにつれて、データ線の占有空間および製造コストの両方が低減される。
【００２５】
当業者には、本発明の範囲または精神から逸脱することなく、本発明の構造に対し様々な修正および変形を行うことができることが明らかであろう。上記に鑑みて、本発明は、添付の特許請求の範囲とその均等物に該当する限り、本発明の修正および変形を網羅することが意図される。
【図面の簡単な説明】
【００２６】
【図１】従来のＲＳＤＳ法を用いたデータ伝送を示す図である。
【図２】本発明の好ましい１実施形態によるデータ転送方法を用いたデータ伝送中のＤＣ電圧レベルおよびＡＣ電圧レベルを示すタイミング図である。
【図３】図２によるデータ転送方法を用いたデータ伝送中のＤＣ電圧レベルおよびＡＣ電圧レベルと、３つのデータビットＤ０、Ｄ１およびＤ２によって生成される電圧レベルとを示すタイミング図である。
【図４】本発明の別の好ましい実施形態によるデータ転送方法を用いたデータ伝送中のＤＣ電圧レベルおよびＡＣ電圧レベルを示すタイミング図である。
【図１】
2005310155.tif 000004
【図２】
2005310155.tif 000005
【図３】
2005310155.tif 000006
【図４】
2005310155.tif 000007